(57)【特許請求の範囲】
【請求項１】
固定トレー（１）と、その固定トレー（１）に一部が重なり合う移動トレー（２）とを設け、その移動トレー（２）の移動により商品の陳列スペースが変化するようにした商品陳列トレーにおいて、前記固定トレー（１）が、内底板（３）と、外底板（４）と、その内底板（３）と外底板（４）の間に固定されたインナーパネル（５）とを有し、前記移動トレー（２）の底壁（１３）を、前記固定トレー（１）の内底板（３）と外底板（４）の間にスライド可能に挿入し、その底壁（１３）に形成した舌片（２０）をスライド可能に保持する切欠き（６）を前記インナーパネル（５）に、インナーパネル（５）と舌片（２０）とが重ならないようにインナーパネル（５）の側縁に開放して形成し、その舌片（２０）と切欠き（６）の係合により前記移動トレー（２）を固定トレー（１）から抜け止めしたことを特徴とする商品陳列トレー。
【請求項２】
前記舌片（２０）が、基端部（２１）と、その基端部（２１）よりも幅の大きい先端部（２２）とからなり、前記切欠き（６）が、前記基端部（２１）をスライド可能に支持する狭幅部（８）と、前記先端部（２２）をスライド可能に支持する広幅部（７）とからなる請求項１に記載の商品陳列トレー。
【請求項３】
前記固定トレー（１）が、外底板（４）の前縁に沿って上向きに折り曲げられた外側正面板（９）と、その外側正面板（９）の上縁に沿って内側に折り返されて内底板（３）の前縁に連なる内側正面板（１０）とを有し、前記外側正面板（９）と内側正面板（１０）とを断面三角形状をなすように配置した請求項１または２に記載の商品陳列トレー。
【請求項４】
前記固定トレー（１）が、外底板（４）の後縁に沿って上向きに折り曲げられた外側背面板（１１）と、その外側背面板（１１）の上縁に沿って内側に折り返されて内底板（３）の後縁に連なる内側背面板（１２）とを有し、前記外側背面板（１１）と内側背面板（１２）とを断面三角形状をなすように配置した請求項１から３のいずれかに記載の商品陳列トレー。
【発明の詳細な説明】
【技術分野】
【０００１】
この発明は、商品の陳列スペースを変化させることが可能な商品陳列トレーに関する。
【背景技術】
【０００２】
コンビニエンスストアやスーパーマーケット等の小売店では、店内に商品陳列トレーを設置し、そのトレーに商品を陳列することが多い。ここで、陳列する商品の量に応じて、商品の陳列スペースを変化させることが可能な商品陳列トレーとして、固定トレーと、その固定トレーに一部が重なり合う移動トレーとを設け、その移動トレーの移動により商品の陳列スペースが変化するようにしたものが知られている（特許文献１）。
【０００３】
この商品陳列トレーは、固定トレーの内底板と外底板の間に、移動トレーの底壁がスライド可能に挿入され、また、固定トレーの内底板から切り起こした切り起こし片が、移動トレーの底壁に形成した長孔に貫通しており、その切り起こし片と長孔の係合によって、移動トレーを固定トレーから抜け止めしている。
【０００４】
また、固定トレーの内底板にプラネジを刺し通し、そのプラネジを、移動トレーの底壁に形成した長孔に貫通させ、そのプラネジと長孔の係合により移動トレーを固定トレーから抜け止めした商品陳列トレーも知られている。
【特許文献１】特開平９−３９９４８号公報
【発明の開示】
【発明が解決しようとする課題】
【０００５】
しかし、特許文献１に記載の商品陳列トレーは、内底板から切り起こし片を切り起こしているので、内底板が平らでなく、商品をきれいに陳列するのが難しい。また、移動トレーを、固定トレーから抜ける方向にスライドさせたときに、固定トレーの内底板と外底板の間に空洞が生じるので、固定トレーの強度が不足しやすく、商品の重みによって固定トレーが変形するおそれがあった。
【０００６】
プラネジで移動トレーを抜け止めした上記の商品陳列トレーについても、プラネジの頭部が内底板の上面から突出するので、内底板が平らでなく、商品をきれいに陳列するのが難しい。また、移動トレーを、固定トレーから抜ける方向にスライドさせたときに、商品の重みによって固定トレーが変形するおそれがあった。
【０００７】
この発明が解決しようとする課題は、商品をきれいに陳列することが可能で、かつ、移動トレーを固定トレーから抜ける方向にスライドさせたときに固定トレーの強度を確保しやすい商品陳列トレーを提供することである。
【課題を解決するための手段】
【０００８】
上記の課題を解決するため、前記固定トレーが、内底板と、外底板と、その内底板と外底板の間に固定されたインナーパネルとを有し、前記移動トレーの底壁を、前記固定トレーの内底板と外底板の間にスライド可能に挿入し、その底壁に形成した舌片をスライド可能に保持する切欠きを前記インナーパネルに形成し、その舌片と切欠きの係合により前記移動トレーを固定トレーから抜け止めした構成を商品陳列トレーに採用した。
【０００９】
前記舌片は、例えば、基端部と、その基端部よりも幅の大きい先端部とで構成することができ、前記切欠きは、前記基端部をスライド可能に支持する狭幅部と、前記先端部をスライド可能に支持する広幅部とで構成することができる。
【００１０】
この商品陳列トレーは、次の構成を加えると好ましい。
１）前記固定トレーが、外底板の前縁に沿って上向きに折り曲げられた外側正面板と、その外側正面板の上縁に沿って内側に折り返されて内底板の前縁に連なる内側正面板とを有し、前記外側正面板と内側正面板とを断面三角形状をなすように配置する。
２）前記固定トレーが、外底板の後縁に沿って上向きに折り曲げられた外側背面板と、その外側背面板の上縁に沿って内側に折り返されて内底板の後縁に連なる内側背面板とを有し、前記外側背面板と内側背面板とを断面三角形状をなすように配置する。
【発明の効果】
【００１１】
この発明の商品陳列トレーは、移動トレーを抜け止めするための切欠きがインナーパネルに設けられているので、内底板を平らに形成することができる。そのため、この商品陳列トレーは、商品をきれいに陳列することができる。
【００１２】
また、この発明の商品陳列トレーは、内底板と外底板の間にインナーパネルが固定され、そのインナーパネルが商品の重みを支えるので、移動トレーを固定トレーから抜ける方向にスライドさせたときに、固定トレーの強度を確保しやすい。
【００１３】
また、固定トレーの外側正面板と内側正面板とを断面三角形状をなすように配置したものは、構造的に安定しており、強度が高い。
【００１４】
また、固定トレーの外側背面板と内側背面板とを断面三角形状をなすように配置したものも、構造的に安定しており、強度が高い。
【発明を実施するための最良の形態】
【００１５】
図１、図２に、この発明の実施形態の商品陳列トレーを示す。この商品陳列トレーは、固定トレー１と、固定トレー１の左右に設けた一対の移動トレー２，２とからなる。各移動トレー２は、固定トレー１に一部が重なり合っており、移動トレー２を左右に移動させることにより、商品の陳列スペースが変化するようになっている。
【００１６】
固定トレー１は、内底板３と、外底板４と、内底板３と外底板４の間に設けられたインナーパネル５とを有し、インナーパネル５は、内底板３と外底板４に接着されている。内底板３、外底板４は板紙からなり、インナーパネル５は、内底板３、外底板４よりも厚手の板紙（例えば、チップボール）からなる。また、インナーパネル５は、図５に示すように、左右の側縁に開放する一対の切欠き６，６を有する方形に形成されている。各切欠き６は、左右方向に連続する広幅部７と、その広幅部７から連続してインナーパネル５の側縁に至る狭幅部８とからなる。
【００１７】
また、図１、図２に示すように、固定トレー１は、外底板４の前縁に沿って上向きに折り曲げられた外側正面板９と、外側正面板９の上縁に沿って内側に折り返されて内底板３の前縁に連なる内側正面板１０と、外底板４の後縁に沿って上向きに折り曲げられた外側背面板１１と、外側背面板１１の上縁に沿って内側に折り返されて内底板３の後縁に連なる内側背面板１２とを有する。図４に示すように、外側正面板９と内側正面板１０は、断面三角形状をなすように配置されており、外側背面板１１と内側背面板１２も、断面三角形状をなすように配置されている。
【００１８】
移動トレー２は、図１、図２に示すように、固定トレー１の内底板３と外底板４の間にスライド可能に挿入される底壁１３と、外側正面板９と内側正面板１０の間にスライド可能に挿入される正面壁１４と、外側背面板１１と内側背面板１２の間にスライド可能に挿入される背面壁１５と、底壁１３の側縁に沿って設けられた側壁１６とを有する。
【００１９】
移動トレー２の底壁１３は、図２に示すように、内底板１７と、外底板１８と、内底板１７と外底板１８の間に設けたインナーパネル１９とからなり、インナーパネル１９は、内底板１７と外底板１８に接着されている。このインナーパネル１９は、固定トレー１のインナーパネル５と同様、厚手の板紙からなる。また、インナーパネル１９は、図６に示すように、側縁から延び出す舌片２０を有する方形に形成されており、舌片２０は、基端部２１と、その基端部２１から連続する先端部２２とからなる。先端部２２は、基端部２１よりも幅が大きく形成されている。
【００２０】
舌片２０は、図２に示すように、インナーパネル５の切欠き６内にスライド可能に保持されている。ここで、舌片２０の基端部２１は、切欠き６の狭幅部８の縁でスライド可能に支持され、舌片２０の先端部２２は、切欠き６の広幅部７の縁でスライド可能に支持されており、移動トレー２を固定トレー１から抜ける方向にスライドさせたときに、舌片２０と切欠き６の係合によって、移動トレー２が抜け止めされるようになっている。
【００２１】
正面壁１４は、外底板１８の前縁に沿って上向きに折り曲げられた外側正面板２３と、外側正面板２３の上縁に沿って内側に折り返されて内底板１７の前縁に連なる内側正面板２４とからなる。また、背面壁１５は、外底板１８の後縁に沿って上向きに折り曲げられた外側背面板２５と、外側背面板２５の上縁に沿って内側に折り返されて内底板１７の後縁に連なる内側背面板２６とからなる。
【００２２】
側壁１６は、図２、図７に示すように、外側側面板２７と、外側側面板２７の上縁に沿って内側に折り返される内側側面板２８と、内側側面板２８の下縁に沿って折り曲げられて底壁１３に固定される接続片２９と、外側側面板２７の前縁に沿って折り曲げられて正面壁１４に固定される接続片３０と、外側側面板２７の後縁に沿って折り曲げられて背面壁１５に固定される接続片３１とを有する。接続片２９，３０，３１の固定は、例えば、接着によって行なう。また、外側側面板２７と内側側面板２８の間には、図８に示すインナーパネル３２が設けられ、インナーパネル３２は、外側側面板２７と内側側面板２８に接着されている。インナーパネル３２は厚手の板紙からなる。
【００２３】
固定トレー１は、図３に示すように、左右一対の台座３３，３３で支持されている。各台座３３は、図９、図１０に示すように、方形の傾斜板３４と、傾斜板３４の後端縁に沿って下向きに折り曲げられた後面板３５と、後面板３５の下縁に沿って前方に折り曲げられた水平板３６と、水平板３６の前端縁に沿って上向きに折り曲げられた起立片３７と、傾斜板３４の側縁に沿って下向きに折り曲げられた側面板３８とを有し、起立片３７の上端縁に形成された切込み３９が、側面板３８の下端縁に形成された切込み４０に係合している。台座３３の傾斜板３４は、固定トレー１の外底板４に接着されている。
【００２４】
この商品陳列トレーは、移動トレー２を抜け止めするための切欠き６がインナーパネル５に設けられているので、内底板３を平らに形成することができる。そのため、この商品陳列トレーは、商品をきれいに陳列することができる。
【００２５】
また、この商品陳列トレーは、インナーパネル５が商品の重みを支えるので、移動トレー２を固定トレー１から抜ける方向にスライドさせたときに、固定トレー１の強度を確保しやすい。
【００２６】
また、この商品陳列トレーは、外側正面板９と内側正面板１０が断面三角形状をなすように配置されており、また、外側背面板１１と内側背面板１２も断面三角形状をなすように配置されているので、構造的に安定しており、強度が高い。
【００２７】
上記実施形態では、移動トレー２の底壁１３を、内底板１７と外底板１８とインナーパネル１９とで構成しているが、底壁１３を、舌片２０を有するインナーパネル１９のみで構成し、インナーパネル１９が露出するようにしてもよい。要は、移動トレー２の底壁１３が、舌片２０を有すればよい。
【図面の簡単な説明】
【００２８】
【図１】この発明の実施形態の商品陳列トレーの移動トレーを固定トレーから抜ける方向に移動させた状態を示す斜視図
【図２】図１に示す商品陳列トレーの分解斜視図
【図３】図１に示す移動トレーを固定トレーに押し込んだ状態を示す斜視図
【図４】図１に示す商品陳列トレーを左右に破断した拡大断面図
【図５】図２に示す固定トレーのインナーパネルを示す平面図
【図６】図２に示す移動トレーのインナーパネルを示す平面図
【図７】図２に示す移動トレーのブランク（インナーパネルを除く）を示す平面図
【図８】図２に示す移動トレーのインナーパネルを示す平面図
【図９】図３に示す台座のブランクを示す平面図
【図１０】図９に示すブランクを組み立てた状態を示す斜視図
【符号の説明】
【００２９】
１        固定トレー
２        移動トレー
３        内底板
４        外底板
５        インナーパネル
６        切欠き
７        広幅部
８        狭幅部
９        外側正面板
１０      内側正面板
１１      外側背面板
１２      内側背面板
１３      底壁
２０      舌片
２１      基端部
２２      先端部
【図１】
0005069058.tif 000002
【図２】
0005069058.tif 000003
【図３】
0005069058.tif 000004
【図４】
0005069058.tif 000005
【図５】
0005069058.tif 000006
【図６】
0005069058.tif 000007
【図７】
0005069058.tif 000008
【図８】
0005069058.tif 000009
【図９】
0005069058.tif 000010
【図１０】
0005069058.tif 000011